(57)【要約】【目的】袋口に、一般にマジックフアスナーと呼ばれている、再閉鎖可能なバンドを取り付けた包袋を軽快に開口する手段。【構成】一側の真空カップ１８の吸着面をリブ３３により平坦に形成し、他側の真空カップ１７の吸着面をラッパ状の窪み３２を形成する。これら両真空カップの離反の前に、予めラッパ状窪み３２への、包袋１２の片側面の吸い込みにより、嵌合に基ずく係合により互いに結合する二つの部分３０、３１、つまり再閉鎖可能なバンドの片側要素３０を優先して歪ませるように構成する。【効果】片側要素３０の優先歪みにより、マジックフアスナ分割の切っ掛けが確実に現れ、包袋１２の開口ミスを減少させることができる。【選択図】　図１
2004017985.tif 000002
【特許請求の範囲】
【請求項１】
包袋内部に固定した、再閉鎖可能なバンドの両外側面にそれぞれ吸い付く一対の真空カップの離反により、前記の再閉鎖可能なバンドを二つ割して包袋を開口する装置であって、前記一側の真空カップの吸着面を略平坦に、また他側の真空カップの吸着面を略ラッパ状に窪ませ、これら両真空カップの離反の前に、予めラッパ状窪みへの包袋片側面の吸い込みにより、前記の再閉鎖可能なバンドの片側要素を優先して歪ませるようにした装置。
【請求項２】
真空カップにおけるラッパ状窪みへの包袋片側面の吸い込みにより、再閉鎖可能なバンドの片側要素を優先して歪ませると共に、両真空カップの離反の前に、片側の真空カップを、袋口が開く方向に傾斜させる請求項１に記載の装置。
【請求項３】
真空カップにおけるラッパ状窪みへの包袋片側面の吸い込みにより、再閉鎖可能なバンドの片側要素を優先して歪ませると共に、両真空カップの離反の前に、同両真空カップを、袋口が開く方向に傾斜させる請求項１に記載の装置。
【発明の詳細な説明】
【０００１】
【発明の属する技術分野】
本発明は袋口に、一般にマジックフアスナーと呼ばれている、再閉鎖可能なバンドを取り付けた包袋を軽快に開口する装置に関する。
【０００２】
【発明が解決しようとする課題】
図８に示すごとくこの種包袋１は、平たく重ね合わせた２枚のフイルム２の下縁を横シーム３すると共に、袋口の下域に貼り付けた、嵌合に基ずく係合により互いに結合する二つの部分、つまり再閉鎖可能なバンド５を、両側縁の縦シーム４、４により一体に溶融しているため、被包装物を充填するに当っては、前記の再閉鎖可能なバンド５の部分を、両側から吸い付く一対のゴム製真空カップ６で強制的に開口する必要がある。しかし前記の再閉鎖可能なバンド５の部分は雄雌の二つの要素が互いに噛み合い、固い芯を形成するので、前記両真空カップ６の離反に大きな力で抵抗し、自動包装機においての繰り返し開口作業を能率アップするほど、開口ミスのパーセンテージが上昇するという問題がある。
【０００３】
【その解決手段】
本発明は前記の開口ミスを抑えるために、包袋内部に固定した再閉鎖可能なバンドの両側面にそれぞれ吸い付く一対の真空カップの離反により、前記の再閉鎖可能なバンドを二つ割して包袋を開口する装置であって、前記一側の真空カップの吸着面を平坦に、また他側の真空カップの吸着面をラッパ状に窪ませ、これら両真空カップの離反の前に、予めラッパ状窪みへの包袋片側面の吸い込みにより、前記の再閉鎖可能なバンドの片側要素を優先して歪ませるように構成する。
【０００４】
一側の真空カップにおけるラッパ状窪みへの包袋片側面の吸い込みにより、再閉鎖可能なバンドの片側要素は同真空カップでもって優先して歪み、他側要素から離れ、或いは離れようとする初期現象が現れる。これまでの、両側の真空カップでもって一挙にマジックフアスナを分割する装置では、再閉鎖可能なバンドの両側要素を互いに両側に引くので、当該引き離し力に対する抵抗が大きく、包袋が真空カップから剥がれようとする傾向があったが、片側優先の歪みによりマジックフアスナ分割の切っ掛けが確実に現れ、包袋の開口ミスを減少させることができるのである。
【０００５】
【発明の実施形態】
図２は、円形ロータ１０の周縁に、２個１組からなる多数組みのクランパー１１を設置し、前記ロータ１０と各クランパー１１とを一体に断続回転する袋詰め包装機の斜視図であり、包袋の載積セクション１３では、最上位の包袋１２を前記クランパー１１に送り込み、その後位のセクション１４では、クランパーに支持する包袋１２の上縁を一対の真空カップで吸着して開口する構成で、かかる開口機構の具体例は図３に示している。
【０００６】
すなわち機台１５に立設するフレーム１６に、先端それぞれに真空カップ１７、１８を備える一対のバー１９、２０をストローク自在に支持すると共に、前記両バーのそれぞれの対向面に形成するラック歯２１、２２を、前記フレーム１６に支持する歯車２３に係合して構成するもので、クランプ１１に吊り下げた包袋１２が、ロータ１０の回転で両真空カップ１７、１８の間に運び入れられると、歯車２３の回転で、両真空カップ１７、１８は包袋１２の両面に接近して吸い付たあと、離反して開口するのである。
【０００７】
図４に示すごとく包袋１２は、その一側内面に雄要素３０からなるバンドを貼り付け、他側内面に雌要素３１からなるバンドを貼り付けて、嵌合に基く係合により互いに結合する二つの部分、つまり再閉鎖可能なバンドを固定し、前記真空カップ１７、１８は前記バンドの外側に吸着して開口するのてあるが、一側の真空カップ１７の吸着面は略ラッパ状３２に窪み、他側の真空カップ１８の吸着面は、図５に示すごとく多数のリブ３３を備えて略平坦である。
【０００８】
このため図１のごとく前記両真空カップ１７、１８に真空吸引力を作用させると、リブ３３により吸着面の平坦な真空カップ１８は包袋１２の面を略平たく吸い付けるが、ラッパ状の窪み３２を備える真空カップ１７は、同窪み３２内に包袋の面を吸い込むので、雄要素３０には部分的な歪みが形成され、再閉鎖可能なバンドの一部を分離する。この場合図面ような両要素３０、３１に際立った分離現象が起らなくとも、部分的に雄要素３０が雌要素３１から離れようとする現象は起るから、互いに固く噛み合っている再閉鎖可能なバンドは、両真空カップ１７、１８の離反でその弛んだ部分から開放する。
【０００９】
包袋の開口をより確実にするために、図７に示すごとく一側の真空カップ１７の窪みの中に包袋の片側面を吸い込んだあと、同真空カップ１７を傾斜４０し、再閉鎖可能なバンドの両要素の間をこじ開きながら、離反４２、４３するとより開口が容易になる。この場合両真空カップ１７、１８を同時傾斜４０、４１してもよく、包袋１２の開口トラブルは減少して、包装の作業能率の向上を図る事が可能になるのである。
【図面の簡単な説明】
【図１】包袋の開口説明、ただし図４のＩ−Ｉ線の切断面図
【図２】袋詰め包装機の斜面図
【図３】包袋開口域の説明図
【図４】包袋の開口説明図
【図５】真空カップの正面図
【図６】包袋の平面開口説明図
【図７】包袋の開口説明図
【図８】従来例の説明図
【符号の説明】
１０…ロータ
１１…クランパー
１２…包袋
１７、１８…真空カップ
１９、２０…スライドバー
３０、３１…再閉鎖可能なバンド
３２…ラッパ状の窪み
３３…リブによる吸着面の平坦面
４０、４１…傾斜
【図１】
2004017985.tif 000003
【図２】
2004017985.tif 000004
【図３】
2004017985.tif 000005
【図４】
2004017985.tif 000006
【図５】
2004017985.tif 000007
【図６】
2004017985.tif 000008
【図７】
2004017985.tif 000009
【図８】
2004017985.tif 000010